(57)【要約】【課題】  パチンコ島に立設される揚送研磨装置の研磨布に対して、洗浄液を長時間に亘って塗布することのできる構成として洗浄効果を長く維持する。【解決手段】  揚送研磨装置１の下扉３の裏面と、ガイドレール９との間に洗浄液の貯溜手段１９を設ける。そして、揚送するパチンコ玉Ｐからの押圧によって貯溜手段１９が圧縮変形を起こすように構成することによって、貯溜手段１９の下部より延伸して、ガイドレール９の前面まで貫通する供給路２３の先端の吐出口２４から、貯溜手段１９に貯溜されている洗浄液を研磨布１１に向けて吐出するようにする。【選択図】  図４
2009066218.tif 000002
【特許請求の範囲】
【請求項１】
立設させた搬送ベルトの上昇面と、研磨布を介して対向させたガイドレールとでもってパチンコ玉を挟持することにより揚送研磨を行うようにしたパチンコ玉の揚送研磨装置において、
前記ガイドレールの後背部にはパチンコ玉の洗浄液の貯溜手段が備えられ、該ガイドレールに貫通させた供給路を通じて前記貯溜手段から前記研磨布に対して洗浄液が供給されるように形成されていることを特徴とする揚送研磨装置。
【請求項２】
前記貯溜手段は、前記ガイドレールを通過するパチンコ玉の押圧力によって生じる前記貯溜手段の圧縮変形に伴って洗浄液を吐出するように構成されていることを特徴とする請求項１に記載の揚送研磨装置。
【請求項３】
前記供給路の吐出口は、前記ガイドレールの前面に条設されたガイド溝の溝と溝との間に形成される頂部に設けられることを特徴とする請求項１または請求項２に記載の揚送研磨装置。
【請求項４】
前記貯溜手段は、可撓性を有する容器であることを特徴とする請求項１〜請求項３のいずれかに記載の揚送研磨装置。
【請求項５】
前記貯溜手段は、含水性を有するスポンジであることを特徴とする請求項１〜請求項３のいずれかに記載の揚送研磨装置。
【発明の詳細な説明】
【技術分野】
【０００１】
本発明は、パチンコ島に設置されて、パチンコ玉を揚送しながら研磨する揚送研磨装置に関する。
【背景技術】
【０００２】
パチンコ島は、複数のパチンコ機や玉貸機の並列によって構成される。パチンコ島にはさらに、島中において排出されたパチンコ玉を島の下部に架設させた回収樋より回収して揚送し、上部に架け渡した補給樋を通じてパチンコ機や玉貸機へと補給するというパチンコ玉の自動補給装置の要部を構成する揚送研磨装置が付設されたものがある。
【０００３】
揚送研磨装置は、立設させた搬送ベルトと、この搬送ベルトの上昇する側の外表面に対向させて配置した研磨布とガイドレールとでもって揚送部が形成される。ガイドレールには幾条もの縦溝が設けられ、パチンコ玉は、このガイドレールの縦溝と搬送ベルトの上昇面とによって挟持されながら揚送される。パチンコ玉は、ガイドレールの前面に配設された研磨布に押し付けられて揚送されることになるから、この過程で汚れが拭き取られる。
【０００４】
洗浄液を研磨布に塗布することで、洗浄効果を一層高めることができる。洗浄液の塗布は、簡易的に遊技店の開店前に係員の手作業によって行われている。これに対し、特許文献１には、洗浄液を自動的に供給できる仕組みが開示されている。これは、研磨布が汚れたときに、ロール状に巻かれた研磨布を上から下へと巻き取って新しい研磨布面を繰り出す形式の玉研磨装置であって、研磨布は、研磨部の上下の中間部で折り返されており、この折り返し部分が巻き取り作業の途中で洗浄液槽に浸される工程を経るために、研磨部の下部には洗浄液が含浸された状態のものが出現するというものである。
【０００５】
【特許文献１】特開２００２−２４８２５６号公報
【発明の開示】
【発明が解決しようとする課題】
【０００６】
人手に頼る洗浄液の塗布は、洗浄液の塗布効果が数時間しか保たれないために、その後は洗浄液が乾いたまま営業時間の終了を待つしかないという問題がある。営業途中で自動補給装置を停止させて揚送研磨装置を開扉することは、揚送中のパチンコ玉を抜き取るなどの作業が必要となることから相応の時間が必要であり、実務上困難であるからである。また、特許文献１の装置は、汚れた研磨布の巻き取りのタイミングと、洗浄液の乾燥のタイミングとが合致しないという問題がある。たとえば、研磨布としてまだ十分使用できる程度の軽い汚れ状態にあるときに、洗浄液の含浸面を出現させるために研磨布の巻き取りを行わなければならないといった事態が起きる。
【課題を解決するための手段】
【０００７】
本発明の揚送研磨装置は、上記の如き課題に鑑みなされたもので、立設させた搬送ベルトの上昇面と、研磨布を介して対向させたガイドレールとでもってパチンコ玉を挟持することにより揚送研磨を行うようにしたパチンコ玉の揚送研磨装置において、前記ガイドレールの後背部にはパチンコ玉の洗浄液の貯溜手段が備えられ、該ガイドレールに貫通させた供給路を通じて前記貯溜手段から前記研磨布に対して洗浄液が供給されるように形成されていることを特徴とする。
【０００８】
また、前記貯溜手段は、前記ガイドレールを通過するパチンコ玉の押圧力によって生じる前記貯溜手段の圧縮変形に伴って洗浄液を吐出するように構成されていることを特徴とする。そして、前記供給路の吐出口は、前記ガイドレールの前面に条設されたガイド溝の溝と溝との間に形成される頂部に設けられることを特徴とする。
【０００９】
さらに、前記貯溜手段は、可撓性を有する容器であることを特徴とする。あるいは、前記貯溜手段は、含水性を有するスポンジであることを特徴とする。
【発明の効果】
【００１０】
本発明の揚送研磨装置によれば、ガイドレールの後背部に配置した洗浄液の貯溜手段が揚送されるパチンコ玉の押圧による弾性変形に伴って、ガイドレール前面の研磨布に少しずつ且つ定常的に洗浄液を送出するようになるので、長時間に亘って洗浄効果を維持することができる。また、研磨布の交換のタイミングにとらわれずに、研磨布に対して洗浄液を供給することができる。洗浄液の吐出口は、ガイドレールに備わる溝間の頂部に設けられるので、パチンコ玉の揚送に支障を来たすことがなく、研磨布に最も接近した位置から効果的に洗浄液を塗布できるようになっている。
【発明を実施するための最良の形態】
【００１１】
次に、本発明の実施の一形態について、図を参照しながら説明する。図１は、本発明の揚送研磨装置の斜視図であり、図２は、扉を開放した状態の一部正面図である。これらの図に示すように、揚送研磨装置１の正面は、上方に備えた上扉２と下方に備えた下扉３からなる二枚の扉がヒンジ４に支持されてそれぞれ開閉自在に形成され、これらの扉を閉じたときは、固定ラッチ５によって開放が禁止される。そして、このような揚送研磨装置１は、通常は、図示しないパチンコ島の中央部に設置される揚送研磨塔の筐体の中に収納される。なお、図１および図２は、パチンコ島からみると背面側からの図に相当するものであるが、ここでは、図示された側を正面とする。また、図２において、下扉３を開放した状態における後述するガイドレールの縦溝の形成された面をガイドレールの前面と呼ぶこととする。
【００１２】
揚送研磨装置１の土台となるベース板６にはモータ７が載置され、揚送研磨装置１の本体内部に垂直方向に張架させた無端の搬送ベルト８を旋回させるべくモータ７と搬送ベルト８のプーリとの間を伝動ベルトでもって連絡させている。この搬送ベルト８は、図２に示された面を上昇側の外表面とするもので、揚送研磨装置１の下端から上端までほぼ一杯に張架されている。一方、上扉２および下扉３の裏面には、ガイドレール９が装着されている。ガイドレール９の前面には幾条もの縦溝１０が形成されており、さらに下扉３については、ガイドレール９の前面は、全面に渡って研磨布１１によって覆われている（図を見やすくするために、研磨布１１は仮想線に変えてある）。そして、扉を閉じたときに、ガイドレール９の前面が、搬送ベルト８の上昇面と所定の間隔を保って対峙する構成となっている。
【００１３】
パチンコ島の島内を循環して回収されるパチンコ玉Ｐは、島の左右に設けた回収樋を流下して導入樋１２に集約され、徐々に整列させられながら揚送研磨装置１の内部へと送り込まれる。そして、研磨布１１に前面を覆われたガイドレール９の縦溝１０と、搬送ベルト８の上昇面とによってパチンコ玉Ｐが挟持されることでもって、パチンコ玉Ｐが揚送されると同時に、研磨布１１によってパチンコ玉Ｐに付着した汚れが拭い去られる。パチンコ玉Ｐは、下扉３から上扉２へと受け継がれて揚送研磨装置１の最上部まで揚送され、排出口１３よりパチンコ島の上部に架設した補給樋に向けて排出され、パチンコ機や玉貸機の補給用の玉として流下していく。
【００１４】
この実施例において、揚送研磨装置１には、その下部に研磨布１１の自動巻取機構１４が装備されている。この自動巻取機構１４は、ロール部１５，巻取部１６およびモータ１７によって構成されている。ロール部１５には、ロール状に巻かれた未使用の清潔な研磨布１１がセットされる。そして、研磨布１１の先端は上方に引き上げられて、下扉３の上端部より揚送研磨装置１の内部に進入している。なお、下扉３の正面には留め金１８が適所に配設されて、研磨布１１の緩みや弛みを抑えている。
【００１５】
さらに研磨布１１は、下扉３の上方から下方へと引き下ろされてガイドレール９の前面を覆い、下扉３の下端部から再び外に延出して、その先端は、巻取部１６の巻取軸に止着されている。巻取部１６の巻取軸は、モータ１７の駆動に伴って回転するように構成されており、揚送研磨の際にパチンコ玉Ｐの汚れが付着した研磨布１１が定められた時間に所定の長さだけ自動的に巻き取られることによって、研磨布１１の清潔な部分が揚送研磨部にセットされるようになっている。そして、下扉３の下部には、下扉３の裏面とガイドレール９との間に洗浄液の貯溜手段１９が装備されている。
【００１６】
（第１実施例）  図３および図４は、第１の実施例を示し、貯溜手段１９として容器２０が使用された場合のものである。なお、図には搬送ベルト８の上昇面のみが示されている。上昇面の背後には、水平に軸支されたガイドローラ２１が上下方向に適当な間隔をおいて配置され、搬送ベルト８の上昇面を裏面側から接触してサポートしている。一方、搬送ベルト８と対向する下扉３の裏面側にはガイドレール９が配設されている。ガイドレール９には、僅かに弾性変形する材料、たとえばウレタンゴムが採用される。また、下扉３とガイドレール９との間には、より弾性変形に富む部材を介装させて、ガイドレール９を前方に付勢している。介装部材は、たとえばスポンジであったり、本実施例のようなコイルバネ２２であったりする。また、ガイドレール９の前面に設けた縦溝１０は、パチンコ玉Ｐよりやや大きな直径の弓形断面を有して幾条にも並設され、この縦溝１０の形成された前面を覆うようにして研磨布１１が配設されている。
【００１７】
下扉３とガイドレール９との間に備えた洗浄液の貯溜手段１９は、可撓性を有する軟質の合成樹脂などからなる密閉された容器２０である。この容器２０の底部からは複数のチューブが延伸して、それぞれがガイドレール９の背面から前面へと貫通させた複数の小径穴と繋がっており、これらのチューブと小径穴とでもって洗浄液の流路となる供給路２３を形成している。供給路２３の先端となる吐出口２４は、隣接する縦溝１０と縦溝１０との間に掲載される凸状の頂部に開設されていて、研磨布１１に最も接近した位置で洗浄液の塗布が確実になされるように構成されている。
【００１８】
容器２０の天井部には、洗浄液の注入口と空気の流入口とを兼ねた調整ネジ２５が取り付けられている。そして、図４に示すように、揚送されるパチンコ玉Ｐからの押圧を受けて容器２０が圧縮変形することによって、容器２０に貯溜されている洗浄液が吐出口２４より押し出されて、研磨布１１に塗布される。このとき、調整ネジ２５を完全に閉めた場合には、パチンコ玉Ｐの揚送が途絶えたときに容器２０が元の形状に復元する力でもって供給路２３を空気が逆流し、均衡した気圧状態に復帰する。また、調整ネジ２５を若干緩めた場合は、洗浄液の流出分に応じて、調整ネジ２５を通じて容器２０に空気が補充される。このように、調整ネジ２５の閉め加減を調整することによって、洗浄液の塗布量を調整することができる。
【００１９】
（第２実施例）  図５および図６は、第２の実施例を示し、貯溜手段１９としてスポンジ２６が使用された場合のものである。そして、第１実施例と同一箇所には同符号を付してある。スポンジ２６は、洗浄液を含水させた状態で受皿２７に載置される。受皿２７の底部からは複数のチューブが延伸して、それぞれがガイドレール９の背面から前面へと貫通させた複数の小径穴と繋がっており、これらのチューブと小径穴とでもって洗浄液の流路となる供給路２３を形成している。そして、図６に示すように、揚送されるパチンコ玉Ｐからの押圧を受けてスポンジ２６が圧縮変形することによって、スポンジ２６に含まれた洗浄液が吐出口２４より流出して、研磨布１１に塗布される。パチンコ玉Ｐの揚送が途絶えたときに、スポンジ２６は元の形状に復元する。
【００２０】
この発明において、容器２０から送出させる洗浄液の流量は、チューブ側に設けたコックによって調整する方法をとることもできる。また、洗浄液の貯溜手段は、自動巻取機構１４が装備されていない研磨布１１に適用させたものであってもよい。
【図面の簡単な説明】
【００２１】
【図１】パチンコ玉の揚送研磨装置の斜視図である。
【図２】揚送研磨装置の扉を開いたときの一部正面図である。
【図３】本発明の第１実施例の仕組みを表わす（ａ）は平面図、（ｂ）は一部側面図である。
【図４】図３におけるパチンコ玉の揚送状態を表わす（ａ）は平面図、（ｂ）は一部側面図である。
【図５】本発明の第２実施例の仕組みを表わす（ａ）は平面図、（ｂ）は一部側面図である。
【図６】図５におけるパチンコ玉の揚送状態を表わす（ａ）は平面図、（ｂ）は一部側面図である。
【符号の説明】
【００２２】
１  揚送研磨装置
２  上扉
３  下扉
８  搬送ベルト
９  ガイドレール
１０  縦溝
１１  研磨布
１４  自動巻取機構
１９  貯溜手段
２０  容器
２２  コイルバネ
２３  供給路
２５  調整ネジ
２６  スポンジ
Ｐ  パチンコ玉
【図１】
2009066218.tif 000003
【図２】
2009066218.tif 000004
【図３】
2009066218.tif 000005
【図４】
2009066218.tif 000006
【図５】
2009066218.tif 000007
【図６】
2009066218.tif 000008